(57)【要約】【課題】商品見本列の全長によらず、商品見本列に対して商品情報の切り替えを確実に行うことが可能な自動販売機の商品表示装置を提供すること。【解決手段】販売対象となる商品に対応した複数の商品見本Ｓを並設して成る商品見本列Ｓｒと、商品情報を外周面に表示した無端状の表示体１０と、表示体１０の内周面側に回動可能に位置して表示体１０を支持する駆動支持手段１００とを備え、駆動支持手段１００の回動により表示体１０を循環移動させて、商品見本列Ｓｒに対して表示する商品情報を切り替えるようにした自動販売機の商品表示装置であって、表示体１０に張力を付加するためのテンション機構４０を備えている。【選択図】      図１
2004234359.tif 000002
【特許請求の範囲】
【請求項１】
販売対象となる商品に対応した複数の商品見本を並設して成る商品見本列と、商品情報を外周面に表示した無端状の商品情報表示体と、前記商品情報表示体の内周面側に回動可能に位置して前記商品情報表示体を支持する支持手段とを備え、前記支持手段の回動により前記商品情報表示体を循環移動させて、前記商品見本列に対して表示する商品情報を切り替えるようにした自動販売機の商品表示装置であって、
前記商品情報表示体に張力を付加するための張力付加手段を備えたことを特徴とする自動販売機の商品表示装置。
【請求項２】
前記支持手段は、前記商品情報表示体を循環移動させるための動力を前記商品情報表示体に伝達しながら回動する駆動部材と、前記商品情報表示体の循環移動に伴って回動する従動部材とから成ることを特徴とする請求項１に記載の自動販売機の商品表示装置。
【請求項３】
前記張力付加手段は、前記駆動部材に対して離反する方向に前記従動部材を付勢することを特徴とする請求項２に記載の自動販売機の商品表示装置。
【請求項４】
動力を発生するための駆動源をさらに備え、
前記駆動源により発生した動力を用いて前記支持手段を回動させることを特徴とする請求項１〜３のいずれか一つに記載の自動販売機の商品表示装置。
【発明の詳細な説明】
【０００１】
【発明の属する技術分野】
本発明は、自動販売機の商品表示装置に関するものである。
【０００２】
【従来の技術】
飲料等の商品を販売する自動販売機には、複数の商品見本から成る商品見本列に対して商品情報を切り替え可能に表示する商品表示装置を備えるものがある（例えば、特許文献１参照）。
【０００３】
この自動販売機は、その左右方向に延在するディスプレイ台により商品表示装置を構成し、その前面側から当該商品表示装置を透視可能としている。ディスプレイ台には、その左右両端に渡って複数の商品見本が並設されて商品見本列を成す一方、その左右両端の個々に配設したプーリ（支持手段）に、無端状の表示体（商品情報表示体）が架け渡してある。表示体の外周面には、その周方向の略半周ずつに、販売対象となる商品の冷蔵状態を表す冷パターンおよび温蔵状態を表す温パターンが区分表示してある。各プーリは、表示体を支持した状態で回動可能であり、その回動により当該表示体を循環移動させることができるように構成してある。
【０００４】
上記商品表示装置では、表示体においてディスプレイ台の前面側に左右に延在する部分によって、商品見本列に対して冷／温パターン（商品情報）を表示可能であり、しかも各プーリの回動による表示体の循環移動によって、商品見本列に対して表示する冷／温パターンを切り替え可能である。このため、この商品表示装置を備えた自動販売機によれば、表示体そのものを変更したり交換することなく、商品見本列に対して表示する商品情報を切り替えることができるので、メンテナンスを行う上で有利なものとなる。
【０００５】
【特許文献１】
実開平２−２３７８６号公報（第４項、第１図）
【０００６】
【発明が解決しようとする課題】
ところで、上述した商品表示装置は、表示体においてディスプレイ台の前面側に直線状に延在する部分によって、商品見本列に対して商品情報を表示するものなので、表示体の周長が商品見本列の全長に応じたものとなる。このため、上述した商品表示装置では、商品見本列の全長を増大させる場合、例えば、商品の多種化に対応するために、商品見本列を成す商品見本の数量の増加を図る場合に、表示体の周長を増大せざるを得ない。
【０００７】
しかしながら、表示体の周長が大きくなる程、表示体における単位温度当りの周方向に対する熱伸縮量が増大するので、例えば夏季に屋外で使用した場合には、表示体が熱伸長により各プーリに対して緩む虞れがある。各プーリに対する表示体の弛みは、各プーリの回動による当該表示体の循環移動を妨げる要因となるので、商品見本列に対しての商品情報の切り替えに支障を来す虞れがある。
【０００８】
本発明は、上記実情に鑑みて、商品見本列の全長によらず、商品見本列に対して商品情報の切り替えを確実に行うことが可能な自動販売機の商品表示装置を提供することを目的とする。
【０００９】
【課題を解決するための手段】
上記の目的を達成するために、本発明の請求項１に係る自動販売機の商品表示装置は、販売対象となる商品に対応した複数の商品見本を並設して成る商品見本列と、商品情報を外周面に表示した無端状の商品情報表示体と、前記商品情報表示体の内周面側に回動可能に位置して前記商品情報表示体を支持する支持手段とを備え、前記支持手段の回動により前記商品情報表示体を循環移動させて、前記商品見本列に対して表示する商品情報を切り替えるようにした自動販売機の商品表示装置であって、前記商品情報表示体に張力を付加するための張力付加手段を備えたことを特徴とする。
【００１０】
また、本発明の請求項２に係る自動販売機の商品表示装置は、上記請求項１において、前記支持手段は、前記商品情報表示体を循環移動させるための動力を前記商品情報表示体に伝達しながら回動する駆動部材と、前記商品情報表示体の循環移動に伴って回動する従動部材とから成ることを特徴とする。
【００１１】
また、本発明の請求項３に係る自動販売機の商品表示装置は、上記請求項２において、前記張力付加手段は、前記駆動部材に対して離反する方向に前記従動部材を付勢することを特徴とする。
【００１２】
また、本発明の請求項４に係る自動販売機の商品表示装置は、上記請求項１〜３のいずれか一つにおいて、動力を発生するための駆動源をさらに備え、前記駆動源により発生した動力を用いて前記支持手段を回動させることを特徴とする。
【００１３】
【発明の実施の形態】
以下に添付図面を参照して、本発明に係る自動販売機の商品表示装置の好適な実施の形態を詳細に説明する。
【００１４】
図１は、本発明の実施の形態における商品表示装置を備える自動販売機の斜視図である。ここで例示する自動販売機は、本体キャビネット１および外扉２を主に備えて構成してある。
【００１５】
本体キャビネット１は、複数の鋼板を適宜組み合わせて構成したもので、前面が開放した直方状の断熱筐体を成している。この本体キャビネット１は、その前面に断熱性のある内扉１ａを有し、その開放部分が内扉１ａにより開閉可能としてある。この本体キャビネット１の庫内は、図示しないが、断熱性の仕切壁により左右に複数の商品収納室として区分してある。各商品収納室には、例えば、缶、瓶、ペットボトルなどの商品を収納した商品ラック（図示せず）がそれぞれ設けてある。また、各商品収納室の下部には、当該各商品収納室を冷却あるいは加熱して、各商品ラックに収納した商品を冷蔵状態あるいは温蔵状態とする冷却／加熱ユニット（図示せず）が備えてある。
【００１６】
外扉２は、本体キャビネット１の前面に開閉可能に取り付けてある。この外扉２には、その上部域にディスプレイ室３が設けてある。ディスプレイ室３は、外扉２の背面側に配設した中扉４と、外扉２の前面において略上半部を成す透明板６との間に所定の間隔をおいて構成される空間である。
【００１７】
中扉４は、外扉２に対して開閉可能に構成したもので、その表面にディスプレイ台５が上下に複数段（図１中、３段の場合を例示）設けてある。各ディスプレイ台５は、本実施の形態における商品表示装置を構成するものであり、ディスプレイ室３内に位置する。各ディスプレイ台５の上面には、本体キャビネット１の庫内に収納した商品に対応した複数（図中、１２個の場合を例示）の商品見本Ｓを左右一列に並設して、商品見本列Ｓｒが構成してある。また、この中扉４には、最下段のディスプレイ台５よりも下方となる部位に、商品等のポスターを展示するための広告部８が設けてある。各ディスプレイ台５および広告部８は、上述した外扉２を中扉４と一体にして、本体キャビネット１に対して閉じた場合に、商品見本列Ｓｒとともに、自動販売機の前面側から透明板６を通じて透視される。
【００１８】
透明板６には、図３に示すように、各ディスプレイ台５に対応する商品選択ボタンユニット７がそれぞれ設けてある。これらの商品選択ボタンユニット７には、ディスプレイ台５上の商品見本Ｓの個々に対応する商品選択ボタン７ａが左右一列に並設してある。これらの商品選択ボタン７ａは、利用者が商品を選択するための押ボタンスイッチであり、透明板６から表出している。
【００１９】
なお、上述した外扉２の前面には、硬貨投入部２ａの投入口、紙幣投入部２ｂの投入口、釣銭返却部２ｃの返却口、商品取出部２ｄの取出口などや、図示しないが金銭返却レバーおよびロック付ハンドルなど周知の構成が設けてある。
【００２０】
図２、３は、図１に示したディスプレイ台５を示すものであり、図２（ａ）は平面図、図２（ｂ）は正面図、図３はＡ−Ａ線端面拡大図である。以下、これらの図面を参照して、ディスプレイ台５について詳細に説明する。
【００２１】
ここで例示するディスプレイ台５は、図２、３に示すように、前面部５ａ、上面部５ｂおよび後面部５ｃを有して下方が開放した断面略コ字形を成し、自動販売機の左右方向に延設してある。これにより、ディスプレイ台５は、下方が開放した横長の箱形を成す。
【００２２】
ディスプレイ台５の上面部５ｂには、図２（ａ）に示すように、複数（図中、１２個の場合を例示）の係止穴５ｂａが左右一列に並設してある。各係止穴５ｂａは、上述した商品見本Ｓを起立姿勢で挿通係止するためのものである。また、ディスプレイ台５の前面部５ａには、図２（ｂ）に示すように、各係止穴５ｂａの前方位置に対応するように配置した透光穴５ａａがそれぞれ設けてある。また、ディスプレイ台５の後面部５ｃには、図２、３に示すように、切り起こしにより形成した複数（図中、２つの場合を例示）の係止片５ｃａが設けてある。係止片５ｃａは、その先端が後面部５ｃの後側の下方に向けてあり、中扉４に設けた穴（図示せず）に挿通係止される。これにより、ディスプレイ台５が中扉４に取り付けられる。
【００２３】
また、前面部５ａ、上面部５ｂおよび後面部５ｃに囲まれたディスプレイ台５の箱内には、図２、３に示すように、左右方向に沿って蛍光灯５ｄが設けてある。蛍光灯５ｄは、ディスプレイ台５の箱内に固定した、左右一対のソケット（図示せず）の個々に装着してある。
【００２４】
このディスプレイ台５には、図２、３に示すように、前面部５ａの前側および後面部５ｃの前側を通るように、その左右両端に架け渡される無端状の表示体（商品情報表示体）１０が設けてある。図４は、表示体１０の斜視図である。
【００２５】
図４に示すように、表示体１０は、透光性フィルムから成る帯体を無端状にして構成したもので、ディスプレイ台５の左右両端に架け渡されるのに十分な長さの周長を有している。この表示体１０の外周面には、上述した各商品収納室に収納した商品の情報として、当該商品の冷蔵状態を表す冷パターンＢおよび温蔵状態を表す温パターンＲが周方向に沿って区分表示（図４中、境界を二点鎖線で例示）してある。本実施の形態において、冷パターンＢは、１パターンの単位として白抜きの文字（例えば「つめた〜い」）の背景に寒色の背景色（例えば青色）が印刷されたものである一方、温パターンＲは、１パターンの単位として白抜きの文字（例えば「あったか〜い」）の背景に暖色の背景色（例えば赤色）が印刷されたものである。これら冷パターンＢおよび温パターンＲは、表示体１０の外周面において周方向の略半周分ずつに区分表示してあり、個々のパターンの配置間隔が上述した透光穴５ａａのものと同等に設定してある。これにより、ディスプレイ台５の前面部５ａの前側に延在する略半周分の表示体１０の各パターンは、前面部５ａに設けた各透光穴５ａａの位置に対応して、ディスプレイ台５上の各商品見本Ｓに対して商品の冷蔵／温蔵状態を表示するようになる。
【００２６】
この表示体１０の下端縁には、その周方向に沿って一定間隔をおいて複数の係合孔Ｈが穿孔してある。これら係合孔Ｈは、丸孔に形成したもので、表示体１０の一周に渡って並んで列を成している。これら係合孔Ｈの一部は、表示体１０の周方向に沿って長孔とした基準孔１１を構成している。基準孔１１は、隣接する２つの係合孔Ｈを繋げた形状を有するものである。
【００２７】
上述したディスプレイ台５は、図３に示すように、後面部５ｃの下端に下端ガイド５Ｃを備える一方、前面部５ａの下端に下端ガイド５Ａを備える。
【００２８】
下端ガイド５Ｃは、後面部５ｃの前方に延設した水平部５ｃｂと、水平部５ｃｂの前端を上向きに折り曲げて延設した垂直部５ｃｃとによって形成してあり、ディスプレイ台５の左右方向に延在している。この下端ガイド５Ｃ、上面部５ｂおよび後面部５ｃに囲まれた領域には、図２に示すように、略半周分の表示体１０が左右方向に沿って直線状に延在している。これにより、表示体１０は、下端ガイド５Ｃと上面部５ｂとの間において上下移動が規制される。
【００２９】
下端ガイド５Ａは、前面部５ａの下端を前方に折り曲げて延設した水平部５ａｂと、水平部５ａｂの前端を上向きに折り曲げて延設した垂直部５ａｃとによって形成してあり、ディスプレイ台５の左右方向に延在している。この下端ガイド５Ａと前面部５ａとの間には、図２に示すように、略半周分の表示体１０が左右方向に沿って直線状に延在している。これにより、表示体１０は、下端ガイド５Ａの水平部５ａｂによって下方への移動が規制される。
【００３０】
図３に示すように、下端ガイド５Ａと前面部５ａとの間には、表示部材９が挿通係止してある。表示部材９は、前面部５ａの左右方向に沿って延在し、前面部５ａの前面側にある表示体１０の前面を覆うようにして配置してある。この表示部材９は、透明板によって構成してあり、その背面側にある表示体１０上の上述した文字よりも下方となる部位に、各商品見本Ｓに対応する商品の金額表示がそれぞれ印刷してある。これにより、この表示部材９上の金額表示は、透光穴５ａａを通じての蛍光灯５ｄの灯りによって、表示体１０上の文字および背景色とともに、明るく表示される。
【００３１】
また、上述したディスプレイ台５には、その左右両端に表示体１０を架け渡すための支持手段として、駆動支持手段１００が設けてある。駆動支持手段１００は、ディスプレイ台５の左端に配設した駆動部２０と、ディスプレイ台５の右端に配設した従動部３０とから成る。図５は、駆動部２０を詳細に示すもので、（ａ）は平面図、（ｂ）は正面図、（ｃ）は左側面図である。図６は、従動部３０を詳細に示すもので、（ａ）は平面図、（ｂ）は正面図、（ｃ）は右側面図である。以下、これらの図面を参照して、駆動部２０および従動部３０について説明する。
【００３２】
駆動部２０は、図５に示すように、本体２１に対して、駆動プーリ（駆動部材）２２および従動プーリ（従動部材）２３を備えて構成したもので、上述した表示体１０における左端の折り返し部分が巻装される。
【００３３】
本体２１は、上下に分割形成したカバー２１ａおよびケース２１ｂを一体として構成したもので、図２に示すように、ディスプレイ台５の左端となる部位に固定される。ここで、カバー２１ａは、本体２１の上部を成す一方、ケース２１ｂは、本体２１の下部を成すものである。この本体２１のケース２１ｂには、略水平に延在する水平基板２１ｂａが固定してある。この本体２１は、水平基板２１ｂａとカバー２１ａとの間に所定の間隔を有して、駆動プーリ２２および従動プーリ２３を収容するのに十分な空間を確保している。水平基板２１ｂａには、その後方側となる部位に回転軸２１ｂｂが回転可能に設けてある。この回転軸２１ｂｂは、水平基板２１ｂａに対して直交配置され、鉛直上方に向けて延在している。
【００３４】
駆動プーリ２２は、円柱状を成す胴部２２ａの下端に、胴部２２ａよりも細径を成す円柱状の中心軸２２ｂを同軸に有して構成したものである。この駆動プーリ２２は、中心軸２２ｂが水平基板２１ｂａ上の回転軸２１ｂｂに同軸に取り付けてあり、回転軸２１ｂｂと一体に回転可能である。中心軸２２ｂには、その外周面に径外方向に向けて検出片２２ｂａが延設してある。この駆動プーリ２２には、その胴部２２ａにおける外周面の下端縁に、表示体１０上の係合孔Ｈに対応する突起部２２ａａが一周に渡って複数突設してある。この駆動プーリ２２は、図５に示すように、胴部２２ａの突起部２２ａａを表示体１０上の係合孔Ｈに係合させた状態で、胴部２２ａの外周面によって表示体１０の内周面を支持する。
【００３５】
従動プーリ２３は、本体２１において駆動プーリ２２よりも前方側となる部位に複数（図５（ａ）中、２つの場合を例示）並設したものであり、個々の軸心と駆動プーリ２２の軸心とが平行になるように配置してある。各従動プーリ２３は、駆動プーリ２２よりも細径の円柱状を成す胴部の上下両端に、当該胴部よりも細径を成す円柱状の細径部２３ａを同軸に有して構成してある。各従動プーリ２３は、上端の細径部２３ａがカバー２１ａに回転可能に支持される一方、下端の細径部２３ａがケース２１ｂに回転可能に支持してある。各従動プーリ２３は、図５（ａ）に示すように、個々の胴部の外周面によって、表示体１０における左端の折り返し部分の内周面を支持する。
【００３６】
上述した本体２１には、さらに駆動モータ（駆動源）２４、減速歯車機構２５、送り量検出用スイッチ２６および基準位置検出用スイッチ２７が設けてある。
【００３７】
駆動モータ２４は、上述した駆動プーリ２２を回転駆動するための動力を発生するもので、水平基板２１ｂａに対し、その出力軸２４ａを下方に向けて取り付けてある。この駆動モータ２４は、本体２１内において上述した駆動プーリ２２と従動プーリ２３との間に配置してある。
【００３８】
減速歯車機構２５は、駆動モータ２４により発生した動力を駆動プーリ２２に伝達するためのもので、明示しないが、所定の減速比を有する歯車列によって構成される。この減速歯車機構２５は、その入力軸（図示せず）が駆動モータ２４の出力軸２４ａに接続される一方、その出力軸（図示せず）が水平基板２１ｂａ上の回転軸２１ｂｂに接続してある。これにより、駆動モータ２４により発生した動力は、減速歯車機構２５によって回転軸２１ｂｂを介して駆動プーリ２２に伝達される。
【００３９】
送り量検出用スイッチ２６は、駆動プーリ２２（中心軸２２ｂ）の回転数を検出するためのもので、検出レバー２６ａを有するマイクロスイッチにより構成してある。検出レバー２６ａは、例えばバネの復元力を用いて、中心軸２２ｂの回転に伴う検出片２２ｂａの移動領域内に進出するように付勢してある。この検出レバー２６ａは、通常の場合に、検出片２２ｂａの移動領域内に対して進出状態となる一方、検出片２２ｂａとの当接状態の場合に、検出片２２ｂａによって押し出されて退行状態となる。
【００４０】
この送り量検出用スイッチ２６は、中心軸２２ｂの回転に伴う検出レバー２６ａの進出退行移動によりＯＮ／ＯＦＦ動作して、駆動プーリ２２の１回転を検出し、該検出した回転信号を後述の制御手段５０に送出する。ここで、本実施の形態では、駆動プーリ２２の回転数が表示体１０を１パターン分だけ循環移動させるための送り量に対応するように設定してある。具体的には、駆動プーリ２２の１回転が表示体を１パターン分だけ循環移動させるための送り量に対応するように設定してある。これにより、送り量検出用スイッチ２６が駆動プーリ２２の１回転を検出すれば、表示体１０が１パターン分だけ循環移動したことになる。
【００４１】
基準位置検出用スイッチ２７は、表示体１０の基準となる位置を検出するためのもので、検出レバー２７ａを有するマイクロスイッチにより構成してある。検出レバー２７ａは、駆動プーリ２２と従動プーリ２３との間にある表示体１０上の上述した係合孔Ｈ（基準孔１１）に対応する位置にある。この検出レバー２７ａは、例えばバネの復元力を用いて、表示体１０を内周面側に向けて押圧するように付勢してある。この検出レバー２７ａは、表示体１０と当接する当接面２７ａａの幅が、係合孔Ｈの外径よりも大きく、かつ基準孔１１の左右幅よりも小さく設定してある。これにより、この検出レバー２７ａは、表示体１０において基準孔１１を設けた部位に対面する位置関係となる場合に、基準孔１１を通じて表示体１０の内周面側に進出状態となる一方、通常の場合に、表示体１０と当接して退行状態となる。この基準位置検出用スイッチ２７は、表示体１０の循環移動に伴う検出レバー２７ａの進出退行移動によりＯＮ／ＯＦＦ動作して、表示体１０の基準位置を検出するための基準位置信号を後述の制御手段５０に送出する。なお、本実施の形態では、検出レバー２７ａの進出状態が検出されるときの表示体１０の位置、具体的には表示体１０において基準孔１１を設けた部位が検出レバー２７ａに対面する位置を基準位置としている。
【００４２】
一方、従動部３０は、図６に示すように、支持体３１に対して、２つの従動プーリ（従動部材）３２を前後一対に備えて構成したもので、上述した表示体１０における右端の折り返し部分が巻装される。
【００４３】
支持体３１は、上下に対向配置された水平板３１ａ，３１ｂと、これら水平板３１ａ，３１ｂを連結する垂直板３１ｃとにより、図６（ｂ）に示すように、右側に開放した略コ字形に形成したものである。この支持体３１は、図２に示すように、ディスプレイ台５の右端となる部位に固定される。水平板３１ａ，３１ｂは、互いの間に従動プーリ３２を配置するのに十分な間隔、具体的には、上述した表示体１０を成す帯体の幅よりも少しだけ大きな間隔を有している。水平板３１ａには、前後に一対の長穴３１ａａが設けられる一方、水平板３１ｂには、前後に一対の長穴３１ｂａが設けてある。各長穴３１ａａ，３１ｂａは、左右方向に沿って延在しており、互いに平行な位置関係を有する。また、水平板３１ａには、その上面に支持板３３ａが重ねて設けられる一方、水平板３１ｂには、その下面に支持板３３ｂが重ねて設けてある。
【００４４】
各従動プーリ３２は、円柱状の胴部３２ａの軸心に中心軸３２ｂを挿通して構成したもので、胴部３２ａが中心軸３２ｂに対して回転可能である。各従動プーリ３２は、支持板３３ａ，３３ｂを介して支持体３１に支持してある。具体的には、各従動プーリ３２は、中心軸３２ｂの上端が、水平板３１ａの各長穴３１ａａを挿通して支持板３３ａに取り付けられる一方、中心軸３２ｂの下端が、水平板３１ｂの各長穴３１ｂａを挿通して支持板３３ｂに取り付けてある。これにより、一対の従動プーリ３２は、支持板３３ａ，３３ｂによって互いに平行な関係が維持される一方、水平板３１ａ，３１ｂの各長穴３１ａａ，３１ｂａによって左右方向に移動可能である。
【００４５】
上述した一対の従動プーリ３２は、図６に示すように、個々の胴部３２ａにおける外周面によって、表示体１０における右端の折り返し部分の内周面を支持する。これにより、表示体１０における右端の折り返し部分は、一対の従動プーリ３２とともに左右移動可能である。
【００４６】
上述した支持体３１には、さらにテンション機構（張力付加手段）４０が設けてある。
【００４７】
テンション機構４０は、水平板３１ａ，３１ｂの右端縁を折り曲げ形成した立片３１ａｂ，３１ｂｂと、支持板３３ａ，３３ｂの左端縁を折り曲げ形成した立片３３ａａ，３３ｂａとの間に架設した引張りコイルバネ４０ａ，４０ｂによって構成してある。このテンション機構４０は、支持板３３ａ，３３ｂを介して、各従動プーリ３２の中心軸３２ｂの上下両端を常時、右方向に引張り付勢するように配設してある。
【００４８】
ここで、上述したように、表示体１０は、その左端の折り返し部分を駆動部２０によって巻装される一方、その右端の折り返し部分を従動部３０（一対の従動プーリ３２）によって左右移動可能に巻装してある。このように巻装された表示体１０には、従動部３０を通じてテンション機構４０の引張り力が張力として付加されるようになる。これにより、この表示体１０は、駆動部２０および従動部３０に対して弛みなく巻装されることになるので、駆動部２０側において係合孔Ｈと駆動プーリ２２の突起部２２ａａとの係合が維持される。従って、この表示体１０は、駆動プーリ２２の回動によって、その周方向に沿って送られて循環移動するようになるので、上述した商品見本列Ｓｒに対して表示する冷／温パターンを切り替えることが可能である。
【００４９】
なお、上述したように、表示体１０の外周面には、商品の冷蔵状態を表す冷パターンＢおよび温蔵状態を表す温パターンＲが周方向に沿って区分表示してある。このため、前面部５ａの前側を通る略半周分の表示体１０は、各商品見本Ｓに対応する全て（１２個）が冷パターンＢとなる形態と、全て（１２個）が温パターンＲとなる形態と、一部（例えば６個）が冷パターンＢで残り（例えば６個）が温パターンＲとなる形態とを得ることができる。
【００５０】
ところで、上述した商品表示装置は、上述した各商品収納室内の商品の冷蔵／温蔵状態を切り替えた場合に、当該商品の商品見本列Ｓｒに対応する表示体１０上の冷／温パターンを切り替えるように制御している。
【００５１】
図７は、この商品表示装置における制御系を示すブロック図である。図７に示した制御手段５０は、ＣＰＵ（Ｃｅｎｔｒａｌ  Ｐｒｏｃｅｓｓｉｎｇ  Ｕｎｉｔ）により構成してある。制御手段５０には、各商品収納室に収納された各商品の冷蔵／温蔵状態を設定する冷温販売モードの設定信号が入力される。この設定信号は、外扉２の後面に設けた冷温販売モード設定スイッチ（図示せず）の切り替えや、外部のリモートコントローラ（図示せず）からの発信により入力する。各商品収納室に対応する冷却／加熱ユニットは、冷温販売モードの設定信号に基づいて制御され、設定信号が例えば「ＣＯＬＤ」の場合には冷却ユニットが作動し、設定信号が例えば「ＨＯＴ」の場合には加熱ユニットが作動する。この制御手段５０には、上述した送り量検出用スイッチ２６からの回転信号と、上述した基準位置検出用スイッチ２７からの基準位置信号とがさらに入力される。この制御手段５０は、駆動回路５１を介して駆動モータ２４に接続してあり、上述した冷温販売モードの設定信号、回転信号および基準位置信号に基づいて、駆動モータ２４を駆動制御する。
【００５２】
図８は、制御手段５０の動作手順を示すフローチャートである。以下、このフローチャートを用いて制御手段５０の動作手順を説明するとともに、上述した商品表示装置における商品見本列Ｓｒに対しての冷／温パターンの切り替えについて説明する。なお、このフローチャートは通常の販売モードでは起動されず、冷温販売モードが設定された際に起動されるものである。
【００５３】
制御手段５０は、冷温販売モードの設定信号が入力されると（ステップＳ１におけるＹｅｓ）、該入力された設定信号に基づいて、各商品収納室に収納した各商品の冷蔵／温蔵状態を判別する（ステップＳ２）。
【００５４】
各商品の冷蔵／温蔵状態を判別した制御手段５０は、ディスプレイ台５上の商品見本列Ｓｒに対して各商品の冷蔵／温蔵状態を示すために、表示体１０を基準位置から循環移動させる上で目標となる送り量（ここでは駆動プーリ２２の回転数）を演算する（ステップＳ３）。
【００５５】
目標となる送り量を演算した制御手段５０は、駆動モータ２４を駆動して、減速歯車機構２５を介して駆動プーリ２２を回動させる（ステップＳ４）。このとき、駆動プーリ２２の回動によって、表示体１０が周方向に沿って送られて循環移動する。
【００５６】
駆動モータ２４を駆動した制御手段５０は、基準位置検出用スイッチ２７からの基準位置信号を検出すると（ステップＳ５におけるＹｅｓ）、すなわち、表示体１０において基準孔１１を設けた部位が検出レバー２７ａに対面する位置（基準位置）に至ると、駆動モータ２４を停止する（ステップＳ６）。
【００５７】
駆動モータ２４を停止した制御手段５０は、再び駆動モータ２４を駆動して、基準位置を起点として表示体１０を循環移動させる（ステップＳ７）。
【００５８】
その後、制御手段５０は、表示体１０の循環移動により、上述の目標送り量に相当する送り量検出用スイッチ２６からの回転信号を検出すると（ステップＳ８におけるＹｅｓ）、駆動モータ２４を停止する（ステップＳ９）。
【００５９】
以上の結果、冷温販売モードの設定信号により設定した各商品の冷蔵／温蔵状態に応じて、ディスプレイ台５上の商品見本列Ｓｒに対して、各商品の冷蔵／温蔵状態が表示体１０上の冷／温パターンによって表示されることになる。従って、上述した商品表示装置を備えた自動販売機では、冷温販売モードの設定信号により各商品収納室内の商品の冷蔵／温蔵状態を切り替えた場合に、当該商品の各商品見本Ｓに対して表示する冷／温パターンを自動的に切り替えることができる。
【００６０】
また、上述したように、この商品表示装置では、表示体１０の左端の折り返し部分を駆動部２０に巻装しつつ、表示体１０の右端の折り返し部分を従動部３０に左右移動可能に巻装した状態で、テンション機構４０によって従動部３０を駆動部２０に対して離反する方向に付勢している。このように構成した商品表示装置では、従動部３０を通じてテンション機構４０の引張り力が表示体１０に張力として付加されるようになるので、例えば熱伸長により表示体１０の周長が増大した場合にも、表示体１０の弛みが確実に防止される。このため、この商品表示装置では、駆動プーリ２２の突起部２２ａａに表示体１０の係合孔Ｈを確実に係合させて、駆動プーリ２２の回動により表示体１０を確実に循環移動させることができる。しかも、上述した作用効果は、表示体１０において元となる周長に依存するものではない。従って、本実施の形態における商品表示装置によれば、商品見本列Ｓｒの全長によらず、商品見本列Ｓｒに対して冷／温パターンの切り替えを確実に行うことが可能になる。
【００６１】
また、上述したように構成した商品表示装置では、例えば熱収縮により表示体１０の周長が減少する場合には、テンション機構４０の引張り力に抗して、従動部３０が駆動部２０に対して左方向に近接移動可能である。従って、この商品表示装置では、表示体１０が駆動部２０と従動部３０との間で過剰に突っ張って、駆動プーリ２２の回動の支障となる要因、例えば表示体１０と駆動プーリ２２との間における著しい摩擦の増大を招来する虞れがない。しかも、この作用効果は、表示体１０において元となる周長に依存するものではない。このため、本実施の形態における商品表示装置によれば、商品見本列Ｓｒの全長によらず、商品見本列Ｓｒに対して冷／温パターンの切り替えを一層確実に行うことが可能になる。
【００６２】
なお、上述した実施の形態では、商品表示装置として、駆動部材を駆動するための駆動源と、この駆動源を駆動制御するための制御手段とを備えて、商品見本列Ｓｒに対して表示体１０上の冷／温パターンを自動的に切り替えるものを例示したが、これに限定されない。具体的には、手動により回動可能な駆動部材を適用して、上述の駆動源や制御手段を要せずに、商品見本列Ｓｒに対して表示体１０上の冷／温パターンを切り替えるものであっても良い。このように構成した商品表示装置においても、表示体１０の周長の増減によらず、駆動プーリ２２を確実に回動させることが可能なので、上述したものと同様の効果を奏するようになる。
【００６３】
また、上述した実施の形態では、商品見本列Ｓｒに対して表示する商品情報として、商品の冷蔵／温蔵状態を表す冷／温パターンを表示体１０に表示したものを適用しているが、商品情報を限定する趣旨でないのは勿論である。
【００６４】
【発明の効果】
以上説明したように、本発明の請求項１に係る自動販売機の商品表示装置によれば、支持手段の回動により商品情報表示体を循環移動させて、商品見本列に対して表示する商品情報を切り替えるようにした自動販売機の商品表示装置であって、前記商品情報表示体に張力を付加するための張力付加手段を備えたので、前記商品見本列の全長によらず、前記商品見本列に対して商品情報の切り替えを確実に行うことが可能になる。
【００６５】
また、本発明の請求項２に係る自動販売機の商品表示装置によれば、支持手段は、商品情報表示体を循環移動させるための動力を前記商品情報表示体に伝達しながら回動する駆動部材と、前記商品情報表示体の循環移動に伴って回動する従動部材とから成るので、前記駆動部材および前記従動部材の回動により前記商品情報表示体を循環移動させて、商品見本列に対して表示する商品情報を切り替えることができる。
【００６６】
また、本発明の請求項３に係る自動販売機の商品表示装置によれば、張力付加手段は、駆動部材に対して離反する方向に従動部材を付勢するので、商品見本列の全長によらず、前記商品見本列に対して商品情報の切り替えを確実に行うことが可能になる。
【００６７】
また、本発明の請求項４に係る自動販売機の商品表示装置によれば、動力を発生するための駆動源をさらに備え、前記駆動源により発生した動力を用いて支持手段を回動させるので、商品情報の切り替えに対する操作性を向上させることが可能になる。
【図面の簡単な説明】
【図１】本発明の実施の形態における商品表示装置を備える自動販売機の斜視図である。
【図２】図１に示したディスプレイ台を示すものであり、図２（ａ）は平面図、図２（ｂ）は正面図である。
【図３】図１に示したディスプレイ台におけるＡ−Ａ線端面拡大図である。
【図４】図２に示した表示体の斜視図である。
【図５】図２に示した駆動部を示すもので、（ａ）は平面図、（ｂ）は正面図、（ｃ）は左側面図である。
【図６】図２に示した従動部を示すもので、（ａ）は平面図、（ｂ）は正面図、（ｃ）は右側面図である。
【図７】本発明の実施の形態における商品表示装置の制御系を示すブロック図である。
【図８】図７に示した制御手段の動作手順を示すフローチャートである。
【符号の説明】
１        本体キャビネット
１ａ      内扉
２        外扉
２ａ      硬貨投入部
２ｂ      紙幣投入部
２ｃ      釣銭返却部
２ｄ      商品取出部
３        ディスプレイ室
４        中扉
５        ディスプレイ台
５ａ      前面部
５ａａ    透光穴
５ａｂ    水平部
５ａｃ    垂直部
５ｂ      上面部
５ｂａ    係止穴
５ｃ      後面部
５ｃａ    係止片
５ｃｂ    水平部
５ｃｃ    垂直部
５ｄ      蛍光灯
５Ａ，５Ｃ      下端ガイド
６        透明板
７        商品選択ボタンユニット
７ａ      商品選択ボタン
８        広告部
９        表示部材
１０      表示体
１１      基準孔
２０      駆動部
２１      本体
２１ａ    カバー
２１ｂ    ケース
２１ｂａ  水平基板
２１ｂｂ  回転軸
２２      駆動プーリ
２２ａ    胴部
２２ｂ    突起部
２２ｂａ  検出片
２３      従動プーリ
２３ａ    細径部
２３ｂ    中心軸
２４      駆動モータ
２４ａ    出力軸
２５      減速歯車機構
２６      送り量検出用スイッチ
２６ａ    検出レバー
２７      基準位置検出用スイッチ
２７ａ    検出レバー
２７ａａ  当接面
３０      従動部
３１      支持体
３１ａ    水平板
３１ａａ  長穴
３１ａｂ  立片
３１ｂ    水平板
３１ｂａ  長穴
３１ｂｂ  立片
３１ｃ    垂直板
３２      従動プーリ
３２ａ    胴部
３２ｂ    中心軸
３３ａ    支持板
３３ａａ  立片
３３ｂ    支持板
３３ｂａ  立片
４０      テンション機構
４０ａ，４０ｂ      引張りコイルバネ
５０    制御手段
５１    駆動回路
１００  駆動支持手段
Ｂ      冷パターン
Ｒ      温パターン
Ｈ      係合孔
Ｓ      商品見本
Ｓｒ    商品見本列
【図１】
2004234359.tif 000003
【図２】
2004234359.tif 000004
【図３】
2004234359.tif 000005
【図４】
2004234359.tif 000006
【図５】
2004234359.tif 000007
【図６】
2004234359.tif 000008
【図７】
2004234359.tif 000009
【図８】
2004234359.tif 000010